(57)【要約】【課題】対物レンズ１０は、光ピックアップの可動部２０の円筒状嵌挿部２１の内周側に嵌挿されてから、環状部１２の３箇所の周方向部位において接着剤３０により円筒状嵌挿部２１の溝２３へ接着される。溝２３における接着剤３０の接着面積を低下させることなく、対物レンズ１０の接着強度を増大させる。【解決手段】溝１３が、環状部１２における接着剤３０の接着部位に形成され、対物レンズ１０側の接着剤３０の接着面積を増大させる。溝１３には、さらに、突条４０や段部４１を形成してもよい。【選択図】図１
2009295228.tif 000002
【特許請求の範囲】
【請求項１】
レンズ嵌挿部へ嵌挿して周辺部の複数の周方向部位において接着剤によりレンズ嵌挿部に接着されるレンズにおいて、
前記周方向部位は前記接着剤の塗り着け用の溝を有し、
前記溝の形成面は少なくとも光通過面より粗くなっていることを特徴とするレンズ。
【請求項２】
前記溝内に凸部が形成されていることを特徴とする請求項１記載のレンズ。
【請求項３】
前記溝の断面が段状に形成されていることを特徴とする請求項１記載のレンズ。
【請求項４】
請求項１〜３のいずれかに記載のレンズを装備する光ピックアップであって、
前記レンズが嵌挿する嵌挿部を有し、該嵌挿部は、前記レンズの嵌挿時に前記レンズの前記溝に対応する部位に前記接着剤の塗り着け用の溝をもつことを特徴とする光ピックアップ。
【発明の詳細な説明】
【技術分野】
【０００１】
本発明は、レンズ嵌挿部へ接着剤により接着されるレンズ及びそれを装備する光ピックアップに関する。
【背景技術】
【０００２】
図９及び図１０は従来の対物レンズ９０が可動部２０に組付けられる前及び後の状態で対物レンズ９０及び可動部２０を示す斜視図である。図９及び図１０において、本発明の実施例に係る後述の図１〜図３の要素と同一の要素については、図１〜図３の要素の符号と同一の符号を付して、説明を省略し、従来技術の主要点について説明する。
【０００３】
対物レンズ９０は、軸線方向視が円形であり、レンズ本体部９１とその周辺部の環状部９２とを備えている。対物レンズ９０は、円筒状嵌挿部２１の内周側へ嵌挿されて、環状部９２が可動部２０の円筒状嵌挿部２１の内周側の座面２６に当たるまで、奥へ押し込まれる。接着剤３０は、円筒状嵌挿部２１の頂部の３箇所の溝２３に塗り着けて、溝２３に臨む環状部９２の周側面の部位を円筒状嵌挿部２１に接着する。
【０００４】
一方、特許文献１は、保持部材への対物レンズの接着性を改善した光ピックアップを開示する（特許文献１の段落０００５）。該光ピックアップでは、対物レンズは、その周部の２箇所において、半径方向外方へ張出すフランジ状の突起部を有し、該突起部は厚さ方向一方の面において保持部材の座面に当てられ、接着剤は、該突起部の厚さ方向他方の面及び該座面の露出部にまたがってそれらを覆うように塗り着けられる（特許文献１の段落００１３及び図４）。
【特許文献１】特開平８−３１３７８１号公報
【発明の開示】
【発明が解決しようとする課題】
【０００５】
一般的な対物レンズ９０はポリオレフィン系の材質であり、接着剤３０は、ポリオレフィン系の材質用に改良された接着剤を使用しても、対物レンズ９０への密着性はあまり良くない。また、対物レンズ９０の接着部位の面は滑らかであり、該接着部位への接着剤の接着強度は低い。さらに、光ピックアップの小型化が進み、対物レンズ９０側の接着面積は減少する傾向がある。以上の理由により、対物レンズ９０では、接着強度の不足やばらつきが生じており、対物レンズ９０の接着の品質及び信頼の安定性が不十分となっている。
【０００６】
特許文献１の光ピックアップの対物レンズでは、対物レンズの周辺部の突起部が保持部材の座面に当てられて、接着剤が該座面の露出部及び該突起部の上から塗り着けられるので、該座面への接着剤の塗り着け面積が、対物レンズの突起部が当てられている分、減少してしまい、保持部材への接着剤の接着強度が低下する。
【０００７】
本発明の目的は、レンズ嵌挿部への接着剤の接着強度の低下を回避しつつ、接着剤の接着強度が増大するレンズ及び該レンズを装備する光ピックアップを提供することである。
【課題を解決するための手段】
【０００８】
本発明のレンズは、レンズ嵌挿部へ嵌挿して周辺部の複数の周方向部位において接着剤によりレンズ嵌挿部に接着される。そして、前記周方向部位は前記接着剤の塗り着け用の溝をもつ。該溝の形成面は少なくとも光通過面より粗くなっている。該溝には、突起や段部を形成することもできる。
【０００９】
本発明の光ピックアップは、前記レンズを装備する。該光ピックアップは、前記レンズが嵌挿する嵌挿部を有し、該嵌挿部は、前記レンズの嵌挿時に前記レンズの前記溝に対応する部位に前記接着剤の塗り着け用の溝をもつ。
【発明の効果】
【００１０】
本発明によれば、レンズの周辺部に形成された接着剤塗り着け用の溝により、接着剤の塗り着け面積が増大し、レンズへの接着剤の接着力が増大する。レンズへの接着剤の接着力は、また、溝の形成面を粗くしたことによっても増強される。レンズはレンズ嵌挿部の接着剤接着面積を減少させる張出し部等を有しないので、レンズにおける接着剤の接着力増強がレンズ嵌挿部への接着剤の接着力を阻害することを排除することができる。
【発明を実施するための最良の形態】
【００１１】
図１は対物レンズ１０の斜視図である。対物レンズ１０は、レンズ本体部１１と、その周辺を囲う環状部１２とを備え、後述の図２の可動部２０に装備される。計３個の溝１３は、環状部１２の外周部に周方向へ等角度間隔で形成され、対物レンズ１０の半径方向外方と光ディスク側へは開口し、その他の方向へは閉じている。
【００１２】
対物レンズ１０は、ポリオレフィン系のプラスチックから成り、金型を用いて成形される。対物レンズ１０は、金型から取り出されてから、例えば放電加工により表面を研磨される。レンズ本体部１１は十分に研磨されるのに対し、溝１３は、研磨せずに放置するか、研磨を途中で終了し、十分な粗さに留められる。溝１３の表面の粗さは粗さに係るＲｚ規格の２．５μｍ以上とされる。なお、環状部１２の表面粗さは、レンズ本体部１１と同一であっても、溝１３と同一であってもよい。
【００１３】
図２は光ピックアップの可動部２０の斜視図である。光ピックアップは、ＣＤやＤＶＤ等の光ディスクプレーヤに装備され、光ディスクにレーザ光のスポットを生成して、その反射光からデータ検出信号を生成する。可動部２０は、４本のスプリングワイヤ（図示せず）によるスライダ４８（図６）への結合によりスライダ４８に架設され、フォーカシング方向（円筒状嵌挿部２１の軸線方向）及びトラッキング方向（図２の左右方向）へ変位自在になっている。可動部２０及びスライダ４８は光ピックアップを構成する。フォーカシング方向及びトラッキング方向は共にスプリングワイヤに対して直角方向となっている。
【００１４】
円筒状嵌挿部２１は可動部２０においてフォーカシング方向の光ディスク側へ突出している。円周枠２２は、円筒状嵌挿部２１の上端部に形成され、周方向へ等角度間隔の３個の溝２３により周方向へ分断されている。座面２６は、溝２３の底面と同一の高さにおいて円周枠２２の内周側に形成されている。トラッキングコイル２４は、可動部２０のスプリングワイヤを介して供給される通電電流に応じた磁力を発生し、可動部２０をトラッキング方向へ変位させる。フォーカシングコイル（図示せず）は、矩形状通孔２５に装填され、別のスプリングワイヤを介して供給される通電電流に応じた磁力を発生し、可動部２０をフォーカシング方向へ変位させる。
【００１５】
図３は対物レンズ１０が装着された可動部２０の斜視図である。対物レンズ１０は、その溝１３を周方向へ可動部２０の溝２３に合わせつつ、環状部１２の端面が座面２６（図２）に当たるまで、円周枠２２の内側に嵌挿される。接着剤３０は、例えば紫外線硬化型であり、溝１３，２３へ充填される。
【００１６】
接着剤３０は、環状部１２の円柱側面ではなく、溝１３と接触することにより、接触面積が増大し、対物レンズ１０への接着剤３０の接着力が増大する。また、溝１３の面の粗さは十分に大きい値に設定されるので、このことによっても対物レンズ１０への接着剤３０の接着力が増大する。
【００１７】
図４は対物レンズ１０の変形例を示している。図４（ａ）〜（ｃ）において、上下方向がフォーカシング方向となっており、上方及び下方がそれぞれ光ディスク側及び反ディスク側である。図１の対物レンズ１０は、図４（ａ）に示されており、横断面が矩形となっている。
【００１８】
説明の便宜上、溝１３において、対物レンズ１０の半径方向へ沿って広がる面を「横面」、対物レンズ１０の中心線方向へ沿って延びる面を「縦面」と呼ぶことにする。図４（ｂ）の対物レンズ１０ｂでは、突条４０が、対物レンズ１０の周方向へ溝１３の長さ全体にわたって延在し、溝１３の横面に形成されている。突条４０は溝１３の縦面に形成してもよい。突条４０に代えて、単なる突起を溝１３の縦面及び／又は横面に１以上形成することもできる。各溝１３への接着剤３０の接触面積は突条４０の存在により増大し、結果、溝１３への接着剤３０の接着力が増大する。
【００１９】
図４（ｃ）の対物レンズ１０ｃでは、段部４１が、溝１３の縦面と横面とのコーナー部に形成される。段部４１の形成により溝１３の面輪郭が複雑化し、結果、溝１３への接着剤３０の接着強度が増大する。段部４１は複数段とすることもできる。
【００２０】
図５は環状部１２の周面がテーパに形成された対物レンズ１０ｄを示している。環状部１２の周面がテーパとされることにより、対物レンズ１０ｄは、その成形金型からの抜けを円滑化される。
【００２１】
図６は対物レンズ１０と同様な構造を適用されたコリメータレンズ５０を組付けられたスライダ４８の斜視図、図７はスライダ４８におけるコリメータレンズ５０の組付け部位の拡大図、図８は図７のコリメータレンズ５０及びその近傍をコリメータレンズ５０の軸線方向から見た断面図である。図６において、スライダ４８は案内孔４９を有し、所定の案内軸（図示せず）は、案内孔４９を貫通して、スライダ４８を光ディスクの半径方向へ案内する。スライダ４８には、図３の可動部２０が組付けられる。
【００２２】
図７及び図８において、コリメータレンズ５０は、図１の対物レンズ１０と同様に、レンズ本体部５１と、その周辺を囲う環状部５２とを備え、ポリオレフィン系のプラスチックから成り、金型を用いて成形される。溝５３は、環状部５２の周方向の２箇所に形成され、コリメータレンズ５０の軸線方向から見た断面（図８）では、コリメータレンズ５０の周方向中央部は三角状にコリメータレンズ５０の半径方向外方へ隆起している。溝５３が隆起部を持つことにより、溝５３の表面積は円弧状の場合よりも増大する。
【００２３】
嵌挿孔５５は、スライダ４８に形成され、コリメータレンズ５０が部分的に嵌挿されるようになっている。１対の溝５６は、嵌挿孔５５の上端に形成され、コリメータレンズ５０の各溝５３は、各溝５６に臨むように、嵌挿孔５５へ嵌挿される。その後、接着剤３０と同一の接着剤が溝５３，５６へ充填されるように、塗り着けられ、コリメータレンズ５０はスライダ４８に接着される。
【００２４】
図示していないレーザ光源はスライダ４８に配備され、レーザ光は、該レーザ光源からコリメータレンズ５０へ向かって出射し、コリメータレンズ５０を通過することにより、所望の光束となって、対物レンズ１０へ進む。
【００２５】
本発明とその実施例としての対物レンズ１０及びコリメータレンズ５０との関係について言及する。本発明のレンズを説明の便宜上、「本レンズ」と呼ぶことにする。本レンズは、ポリオレフィン系の材質でなくてもよい。また、対物レンズやコリメータレンズ以外のレンズであってもよい。対物レンズ１０及びコリメータレンズ５０では、レンズ本体部５１の他に環状部５２が設けられているが、本レンズでは環状部は省略することもできる。
【００２６】
本レンズは、レンズ嵌挿部へ嵌挿して周辺部の複数の周方向部位において接着剤によりレンズ嵌挿部に接着される。該周方向部位は接着剤の塗り着け用の溝をもつ。本レンズにおける接着剤は、対物レンズ１０では接着剤３０に対応するが、紫外線硬化型でなくてもよい。本レンズにおける溝は溝１３，５３に対応する。
【００２７】
本レンズでは、溝の形成面は少なくとも光通過面より粗くなっている。本レンズにおける溝について所望の粗さを実現するためには、例えば、本レンズを金型から成形する場合に、金型の面を粗くして、金型から取出し後の研磨を省略したり、抑制したりする手立てがある。
【００２８】
好ましい本レンズでは、溝内に凸部が形成されている。凸部の具体例は溝１３における突条４０やコリメータレンズ５０における隆起部である。凸部は各溝に１以上形成することができる。別の好ましい本レンズでは、溝の断面が段状に形成されている（例：図４（ｃ）の段部４１）。
【００２９】
典型的には、本レンズは光ピックアップに装備される。該光ピックアップは、レンズが嵌挿する嵌挿部を有し、該嵌挿部は、レンズの嵌挿時にレンズの溝に対応する部位に接着剤の塗り着け用の溝をもつ。光ピックアップ側の嵌挿部の具体例は円筒状嵌挿部２１及び嵌挿孔５５である。光ピックアップ側の嵌挿部の溝の具体例は溝２３，５６である。
【００３０】
本明細書は様々な範囲及びレベルの発明を開示している。それら発明は、本明細書で説明した様々な技術的範囲及び具体的レベルの各装置だけでなく、当業者の自明の範囲内で、各装置から独立の作用、効果を奏する１つ又は複数の要素を抽出したものや、１つ又は複数の要素を自明の範囲で変更したものや、さらに、各装置間で１つ又は複数の要素の組合せを入れ換えたものを含む。
【図面の簡単な説明】
【００３１】
【図１】対物レンズの斜視図である。
【図２】光ピックアップの可動部の斜視図である。
【図３】対物レンズが装着された可動部の斜視図である。
【図４】対物レンズの変形例を示す図である。
【図５】環状部の周面がテーパに形成された対物レンズを示す図である。
【図６】対物レンズと同様な構造を適用されたコリメータレンズを組付けられたスライダの斜視図である。
【図７】スライダにおけるコリメータレンズの組付け部位の拡大図である。
【図８】図７のコリメータレンズ及びその近傍をコリメータレンズの軸線方向から見た断面図である。
【図９】従来の対物レンズが可動部に組付けられる前の状態で対物レンズ及び可動部を示す斜視図である。
【図１０】従来の対物レンズが可動部に組付けられる後の状態で対物レンズ及び可動部を示す斜視図である。
【符号の説明】
【００３２】
１０：対物レンズ（レンズ）、１１：レンズ本体部、１３：溝、２０：可動部、２１：円筒状嵌挿部（レンズ嵌挿部）、２３：溝、３０：接着剤、４０：突条（突起）、４１：段部、４８：スライダ、５０：コリメータレンズ（レンズ）、５１：レンズ本体部、５３：溝、５５：嵌挿孔（レンズ嵌挿部）、５６：溝。
【図１】
2009295228.tif 000003
【図２】
2009295228.tif 000004
【図３】
2009295228.tif 000005
【図４】
2009295228.tif 000006
【図５】
2009295228.tif 000007
【図６】
2009295228.tif 000008
【図７】
2009295228.tif 000009
【図８】
2009295228.tif 000010
【図９】
2009295228.tif 000011
【図１０】
2009295228.tif 000012